(57)【要約】【課題】  旗やパラソルなどを取付けた竿が強風によって転倒することのない竿起立装置の提供。【解決手段】  竿起立装置は支持体３と２個のコンクリートブロック４，４の組み合わせで構成し、該支持体３は台座部６と旗竿嵌入支柱部５から成り、台座部６の中央に起立した旗竿嵌入支柱部５に旗竿２を取付けてソケット７によって締め付け、そして台座部６の下側には脚９，９・・・を設けると共に台座部６から水平にアーム１０，１０・・・を延ばし、コンクリートブロック４，４は穴１２，１２・・・を有した直方体を成し、上記アーム１０，１０・・・を両側に配置したコンクリートブロック４，４の穴１２，１２・・に嵌めて固定している。【選択図】    図１
2012027284.tif 000002
【特許請求の範囲】
【請求項１】
旗、パラソル、看板などを取付けた竿を起立する為の支持体において、該支持体は台座部と竿嵌入支柱部から成り、台座部の中央にはネジ穴を設け、竿嵌入支柱部はその上下端部にネジを形成すると共に竿嵌入穴を設け、そして、該ネジ穴には上記竿嵌入支柱部の下端部に形成したネジを螺合して取付け、また、竿嵌入支柱部の上端部には竿嵌入穴に挿入した竿下端部を締付けるソケットを螺合し、更に台座部の下側には脚を設けると共に台座部から水平にアームを延ばしたことを特徴とする竿を取付ける支持体。
【請求項２】
上記竿嵌入支柱部を台座部と共に一体的に形成した請求項１記載の竿を取付ける支持体。
【請求項３】
上記台座部のアーム先端に溝を形成し、この溝にＬ型脚を着脱可能に取付けた請求項１、又は請求項２記載の竿を取付ける支持体。
【請求項４】
旗、パラソル、看板などを取付けた竿を起立する為の竿起立装置において、該竿起立装置は支持体と２個のコンクリートブロックの組み合わせで構成し、該支持体は台座部と竿嵌入支柱部から成り、台座部の中央にはネジ穴を設け、竿嵌入支柱部はその上下端部にネジを形成すると共に竿嵌入穴を設け、そして、該ネジ穴には上記竿嵌入支柱部の下端部に形成したネジを螺合して取付け、また、竿嵌入支柱部の上端部には竿嵌入穴に挿入した竿下端部を締付けるソケットを螺合し、更に台座部の下側には脚を設けると共に台座部から水平にアームを延ばし、コンクリートブロックは穴を有した直方体を成し、上記アームを両側に配置したコンクリートブロックの穴に嵌めて固定したことを特徴とする竿の起立装置。
【請求項５】
両コンクリートブロックを被覆する為のカバーを取付け、上面中央に設けた穴から竿嵌入支柱部を貫通して起立させた請求項４記載の竿の起立装置。
【発明の詳細な説明】
【技術分野】
【０００１】
本発明は、設置場所が自由に選択可能な旗、パラソル、看板などを対象とし、これら旗、パラソル、看板などを支持する竿を取付ける支持体、及び強風に対しても安定して竿が起立することが出来る竿の起立装置に関するものである。
【背景技術】
【０００２】
例えば、店舗の前に旗を設置して客を呼ぶ方法が従来から行なわれている。特に、道路に沿って複数の旗を設置することで、走行する車から及び歩行者が見えるようにしている。勿論、旗の種類は業種によって色々あるが、基本的な形態は旗竿に取付けられている。しかし、強風によって飛ばされないように旗竿の下端は重い台座部に嵌って支持された構造と成っている。
【０００３】
例えば、特開平８−２２１０２２号に係る「旗類設置装置」は、設置箇所が自由に選択できる旗類設置装置である。そこで、容器状の台座部に注入口から水や砂を注入し、その重量を増加したうえで店先や道路脇等に安置し、台座部の嵌合部に旗竿支持体の被嵌合部を嵌合して同支持体を台座部に装着し、旗竿支持体の嵌合孔に旗竿を嵌合して立てるように構成している。
【０００４】
図１７は上記特開平８−２２１０２２号に係る「旗類設置装置」を表している具体例であり、台座部（イ）の上部に設けた嵌合部（ハ）には旗竿支持体（ニ）が嵌合して載置され、旗竿（ホ）は旗竿支持体（ニ）に設けている嵌合穴に嵌って起立している。そして、台座部（イ）の上面には注入口（ロ）が設けられ、この注入口（ロ）から水又は砂を入れて充填することが出来る。旗（ヘ）は旗竿（ホ）に取付けられている。
【０００５】
しかし、旗竿（ホ）に取付けられる旗（ヘ）が大きくなり、強い風が吹く場合には台座部（イ）にて支えることが出来なくなる。勿論、台座部（イ）を大きくすると持運びや保管が面倒になる。特開２００２−２１５０７３号に係る「旗類設置装置」は、この問題点を解決する為に改良したものであり、保管スペースを削減し、運搬作業が容易で取扱い性を高めると共に、パラソル等の大型のものであっても使用でき、強風の際でも安定して使用することができる旗類設置装置である。そこで、台座部の上面に「位置決め部」としての凸部を設ける一方、この凸部と接合する「被位置決め部」としての凹部を台座部の下面に設け、凸部と凹部とを嵌合させ、台座部を上下方向に複数積み重ねて使用することができるようにしている。
【０００６】
また、コンクリートブロックを台座部として使用している場合も多い。すなわち、コンクリートブロックの上面から下方へ設けた穴に旗竿を嵌入することで起立して取付けられ、重いコンクリートブロックによって旗竿が強風で倒れることはない。ところで、竿に取付けられるものは旗に限らず、パラソルや看板も同じであり、該パラソルや看板が安定して起立することが出来る起立装置が必要となる。
【特許文献１】特開平８−２２１０２２号に係る「旗類設置装置」
【特許文献２】特開２００２−２１５０７３号に係る「旗類設置装置」
【発明の開示】
【発明が解決しようとする課題】
【０００７】
このように、旗やパラソルなどが取付けられる竿の起立装置には色々なものが知られている。この竿起立装置に求められるものは、強風に対しても飛ばされることなく安定することであり、又持ち運びが便利な点である。本発明はこれらの点を考慮して発案したものであり、既存のコンクリートブロックを組み合わせて構成される竿の起立装置を提供する。また、竿が取付けられる支持体を提供する。
【課題を解決するための手段】
【０００８】
本発明に係る竿の起立装置は、支持体と対を成す２個のコンクリートブロックで構成している。支持体は竿嵌入支柱部と台座部から成り、竿嵌入支柱部は台座部と一体成形される場合と分離している場合がある。そして、竿嵌入支柱部の上端部にはネジが形成され、該ネジにソケットが螺合している。すなわち、竿の下端部が竿嵌入支柱部の穴に嵌入した状態で外れないようにソケットを締付けることが出来る。
【０００９】
上記台座部の下側には脚が設けられ、又台座部から水平にアームが延びている。そして、組み合わされるコンクリートブロックとは直方体を成して内部には貫通穴を形成したものであり、この種のコンクリートブロックは塀垣用として積み重ねて従来から使用されているものを兼用出来る。ところで、台座部から水平に延びるアームはコンクリートブロックの穴に嵌って組み合わされる。
【００１０】
一方、コンクリートブロックを使用しない場合もあり、この時にはアームの先端にＬ型脚を取付けることが出来るようにしている。従って、アームの先端下側にＬ型脚の縦片が嵌る溝が設けられている。更に、必要に応じてカバーを取付けてコンクリートブロックを被覆することも出来る。カバーは下側が開口した箱型を成し、上面中央には竿嵌入支柱部が嵌る穴を貫通している。
【発明の効果】
【００１１】
本発明に係る竿の起立装置は支持体と２個のコンクリートブロックの組合せ構造として構成され、該支持体を構成する台座部から水平に延びるアームはコンクリートブロックの穴に嵌り、該コンクリートブロックが重りと成って支持体は安定する。従って、支持体の竿嵌入支柱部に嵌って取付けられる竿は安定し、強風に対しても転倒することはない。
【００１２】
ところで、該コンクリートブロックは従来から塀垣用のブロックとして多用されている既存のものを使うことが出来るために、本発明の竿の起立装置は比較的安くなる。そして、コンクリートブロックが見えないようにカバーを取付けて被覆するならば、外観的にも良好な竿の起立装置と成り、旗竿として店舗の前に設置する場合に好ましい。一方、店舗内や風が吹かない時には支持体にＬ型脚を取付けることでコンクリートブロック無しで使うことも可能となる。
【図面の簡単な説明】
【００１３】
【図１】本発明の旗竿起立装置に旗竿を取付けて起立している場合。
【図２】支持体を構成する台座部。
【図３】支持体を構成する旗竿嵌入支柱部。
【図４】支持体を構成するソケット。
【図５】支持体の展開図。
【図６】本発明に係る支持体。
【図７】本発明に係る旗竿起立装置の展開図。
【図８】旗竿起立装置を示す実施例。
【図９】旗竿起立装置に旗竿を取付ける場合。
【図１０】旗竿起立装置に旗竿が取付けられている場合。
【図１１】旗竿起立装置にカバーを取付ける場合。
【図１２】カバーが取付けられてコンクリートブロックを被覆した旗竿起立装置。
【図１３】本発明の支持体の別形態を示す展開図。
【図１４】Ｌ型脚を取付けた支持体。
【図１５】支持体の下面図。
【図１６】支持体に旗竿を取付けて起立している場合。
【図１７】従来の旗竿起立装置。
【発明を実施するための形態】
【００１４】
図１は本発明の竿起立装置を利用して旗竿が垂直に起立して取付けられている場合を示している。同図の１は旗、２は旗竿、３は支持体、４はコンクリートブロックをそれぞれ表している。この旗１はパチンコ店の店先に設置されるものであり、該旗１には「出玉爆発」と表示されて旗竿２に取付けられており、そしてこの旗竿２は上記支持体３に設けている旗竿嵌入支柱部５に嵌って垂直に起立している。そして、両コンクリートブロック４，４は重りと成って支持体３を支えている。従って、強い風が吹いても２個のコンクリートブロック４，４の重りで旗竿２が倒れることはない。
【００１５】
ところで、本発明の旗竿起立装置は上記支持体３と２個のコンクリートブロック４，４を組合せて構成しており、図２、図３、図４は支持体３を構成する各部材を示している。図２では支持体３を構成する台座部６、図３は旗竿２の下端部が嵌る旗竿嵌入支柱部５、図４は旗竿嵌入支柱部５の上端部に形成したネジに螺合して旗竿嵌入支柱部５に嵌った旗竿２が抜けないように固定するソケット７を表している。
【００１６】
図２に示す台座部６は樹脂製であって、中央にはネジ穴８が設けられ、台座部６の下側には脚９，９・・・を有している。そして、台座部６から水平に４本のアーム１０，１０・・・が延びている。図３に示す旗竿嵌入支柱部５は、その下端部にネジが設けられ、同じく上端部にもネジを形成している。下端部のネジは台座部６の中央に設けたネジ穴８に螺合して取付けられ、旗竿嵌入支柱部５は台座部６から垂直に起立することが出来る。
【００１７】
旗竿嵌入支柱部５には旗竿嵌入穴１１が貫通して設けられ、この旗竿嵌入穴１１に旗竿２の下端部が嵌る。そして、上記ソケット７が旗竿嵌入支柱部５の上端部に設けているネジに螺合して締付けるならば、旗竿２は抜けないように固定される。ソケット７の内面には複数の押圧片（図示なし）が設けられていて、該ソケット７が旗竿嵌入支柱部５のネジに螺合して降下することで、上記押圧片が旗竿嵌入支柱部５の上端に係合して内側へ撓み変形し、挿入された旗竿２を固定することが出来る。
図５は台座部６、旗竿嵌入支柱部５、及びソケット７の展開図を、図６は旗竿嵌入支柱部５を台座部６に取付け、そしてソケット７を旗竿嵌入支柱部上端部のネジに螺合して取付けた場合を示している。すなわち、図６は支持体３を表している。このように、支持体３は台座部中央に旗竿嵌入支柱部５が垂直に起立し、その上端部にはソケット７が取付けられて構成している。そこで、上記ソケット７を取外して旗竿２を旗竿嵌入支柱部５の旗竿嵌入穴１１に嵌め、そして取外したソケット７を旗竿嵌入支柱部上端部のネジに螺合して締付ける。
【００１８】
ところで、上記旗竿嵌入支柱部５を台座部６と一体的に形成することも出来る。ただし、ソケット７は分離可能な独立部材として製作し、旗竿嵌入支柱部５の上端部に螺合可能としている。すなわち、旗竿２を旗竿嵌入支柱部５の旗竿嵌入穴１１に挿入しただけでは抜ける虞がある。
【００１９】
図７は支持体３と２個のコンクリートブロック４，４を分離した状態で表している。そして、図８は支持体３とコンクリートブロック４，４を組み合わせた本発明の旗竿の起立装置を表している。このコンクリートブロック４は塀垣用として従来から多用されている既存のブロックでありコストは安い。本発明ではこのコンクリートブロック４，４を支持体３の重りとして使用している。
【００２０】
該コンクリートブロック４には３個の穴１２，１２・・・が貫通して設けられ、この穴１２，１２・・・に台座部６から水平に延びるアーム１０，１０・・・が嵌入することが出来る。アーム１０，１０・・・が嵌入して支持体３とコンクリートブロック４，４が組み合わされた状態が図８であり、旗竿嵌入支柱部５は両コンクリートブロック４，４の間に形成される空間から起立し、該コンクリートブロック４，４の重量はアーム１０，１０・・・を介して支持体３に付加されて安定する。この場合、４本の脚９，９・・・は地面に着地している。
【００２１】
勿論、脚９，９・・・が地面に着地することなく、４本のアーム１０，１０・・・がコンクリートブロック４の穴１２，１２・・・に嵌ることでもよいが、この場合には、アーム１０，１０・・・が嵌った穴１２，１２・・・の内部でガタ付かないような寸法としなくてはならない。その為には、コンクリートブロック４，４の底面の少なくとも一部が着地しないでアーム１０，１０・・・に載って支持されるようにする方が好ましい。
【００２２】
図９は支持体３の旗竿嵌入支柱部５に旗竿２を嵌める場合を示している。そして、図１０は旗竿２が旗竿嵌入支柱部５に取付けられて垂直に起立している場合である。旗竿嵌入支柱部５には旗竿嵌入穴１１が設けられ、この旗竿嵌入穴１１に旗竿２の下端部が嵌ることになるが、単に嵌った状態では多少ガタ付いたり、抜ける可能性がある為にソケット７を取付けて締付・固定している。
【００２３】
該ソケット７を取付ける場合、旗竿２に一旦ソケット７を嵌め、旗竿２の下端部を旗竿嵌入穴１１に嵌めたところでソケット７を旗竿嵌入支柱部５の上端部に形成しているネジに螺合して締め付ける。従って、旗竿嵌入支柱部５に取付けられた旗竿２は垂直に起立すると共に、抜けることはない。勿論、支持体３は２個のコンクリートブロック４，４が重りと成って安定し、強風時であっても旗竿２が倒れることはない。
【００２４】
図１１はコンクリートブロック４，４を被覆する為のカバー１３を設けた場合であり、図１２は該カバー１３を取付けてコンクリートブロック４，４が見えないように被覆している状態を示している。コンクリートブロック４，４が重りと成って支持体３を固定しているが、これらコンクリートブロック４，４が表面化することは外観的に好ましくない。そこで、同図のようにカバー１３を取付けて被覆することが出来る。
【００２５】
勿論、該カバー１３を被覆することで外観が向上するだけであり、支持体３の安定度が向上する訳ではない為に、必ずしも取付ける必要性はない。該カバー１３は支持体３と同じく樹脂製とし、下側が開口した箱型であり、上面１４の中央には旗竿搬入支柱５が嵌る穴１５を設けている。従って、支持体３の両側に重りとして配置したコンクリートブロック４，４が箱型カバーに嵌って被覆される。
【００２６】
本発明の旗竿起立装置は上記支持体３と２個のコンクリートブロック４，４の組み合わせで構成するが、風が吹かない場所に設置するのであれば重りとなるコンクリートブロック４，４は必要ない。この場合には、台座部６から水平に延びるアーム先端にＬ型脚を取付けることで転倒しないようにすることが出来る。２個のコンクリートブロック４，４を配置することで大きな設置面積が必要となるが、コンクリートブロック４，４を使用することなくＬ型脚にて支持体３を支えるならば小スペースで済む。
【００２７】
図１３はＬ型脚１６，１６・・・が取付けられる前の支持体３を示し、図１４はＬ型脚１６，１６・・・を取付けた状態の支持体３を示している。そして、図１５に台座部６の裏側（下側）を示しているように、アーム１０，１０・・・の先端には溝１７，１７・・・が形成され、この溝１７，１７・・・にＬ型脚１６，１６・・・の縦片１８，１８・・・が嵌入して取付けられる。従って、支持体３は図１４のように４個のＬ型脚１６，１６・・・によって安定して支持される。勿論、風が吹く外に設置することは出来ないが、店内であるならば重りとなるコンクリートブロック４，４は不要となる。
【００２８】
図１６はコンクリートブロック４，４を用いないで設置した支持体３に旗竿２を取付けて起立している状態を示し、この旗竿２には「うどん」を表示した旗１が取付けられている。風が吹かない建物内部であれば、アーム１０，１０・・・の先端に取付けたＬ型脚１６，１６・・・にて安定して起立することが出来、コンクリートブロック４，４がないことで設置スペースは小さくなる。
【符号の説明】
【００２９】
１  旗
２  旗竿
３  支持体
４  コンクリートブロック
５  旗竿嵌入支柱部
６  台座部
７  ソケット
８  ネジ穴
９  脚
10  アーム
11  旗竿嵌入穴
12  穴
13  カバー
14  上面
15  穴
16  Ｌ型脚
17  溝
18  縦片
【図１】
2012027284.tif 000003
【図２】
2012027284.tif 000004
【図３】
2012027284.tif 000005
【図４】
2012027284.tif 000006
【図５】
2012027284.tif 000007
【図６】
2012027284.tif 000008
【図７】
2012027284.tif 000009
【図８】
2012027284.tif 000010
【図９】
2012027284.tif 000011
【図１０】
2012027284.tif 000012
【図１１】
2012027284.tif 000013
【図１２】
2012027284.tif 000014
【図１３】
2012027284.tif 000015
【図１４】
2012027284.tif 000016
【図１５】
2012027284.tif 000017
【図１６】
2012027284.tif 000018
【図１７】
2012027284.tif 000019